(57)【特許請求の範囲】
【請求項１】
フレーム内に設けた用紙収納部に収納したロール紙を、その巻き終り側から所定量ずつ繰り出してそこにプラテンとサーマルヘッドとにより印字を行ってそれをピールローラを介して排出するプリンタにおいて、
前記フレームに、ロール紙が排出される付近を開放可能にする収納部カバーと揺動カバーを共に回動可能に設け、該揺動カバーに前記収納部カバーを閉じ位置に回動させる過程で該収納部カバーの一部あるいはそれと一体の部品に係合して前記揺動カバーを閉じ位置まで前記収納部カバーの回動に連動して回動させるための係合部を設けたことを特徴とするプリンタ。
【請求項２】
前記揺動カバーあるいはその揺動カバーと一体の部品に、前記ピールローラと前記サーマルヘッドとが取り付けられていることを特徴とする請求項１記載のプリンタ。
【発明の詳細な説明】
【０００１】
【発明の属する技術分野】
この発明は、ロール紙をフレーム内に設けた用紙収納部に収納して印字を行うプリンタに関する。
【０００２】
【従来の技術】
例えば、携帯用のプリンタには、ロール紙をフレーム内に設けた用紙収納部に収納し、その巻き終り側から所定量ずつ繰り出してそこにプラテンとサーマルヘッドとにより印字を行ってそれをピールローラを介してフレームの外部に排出するようにしたものがある。
【０００３】
このようなプリンタでは、ロール紙をフレーム内の用紙収納部に収納して印字が可能な状態にするためには、例えば図６に示すように、まず用紙収納部４１の上部に開閉可能に設けられている収納部カバー４２を開いて用紙収納部４１にロール紙４０をセットし、そのロール紙４０の巻き終り側を若干引き出してプラテン４４とサーマルヘッド４５とにより印字可能な位置にセットした後、収納部カバー４２を閉じる。
さらに、図６に実線で示すように左方側の退避位置に後退させておいたピールローラユニット４３を、同図に仮想線で示す所定のセット位置までスライドさせる。
【０００４】
【発明が解決しようとする課題】
しかしながら、このような従来のプリンタの場合には、用紙収納部４１にロール紙４０をセットして印字可能な状態にするためには、上述したように収納部カバー４２を開けて用紙収納部４１にロール紙４０をセットした後の作業が、収納部カバー４２を閉じ位置まで閉じる動作と、その後でピールローラユニット４３を所定のセット位置までスライドさせる動作とが必要であったため、ロール紙のセットが面倒であった。
【０００５】
この発明は上記の問題点に鑑みてなされたものであり、収納部カバーを開けて用紙収納部にロール紙をセットした後の作業が、収納部カバーを閉じ位置まで閉じるワンタッチの動作だけで印字可能な状態になるプリンタを提供することを目的とする。
【０００６】
【課題を解決するための手段】
この発明は上記の目的を達成するため、フレーム内に設けた用紙収納部に収納したロール紙を、その巻き終り側から所定量ずつ繰り出してそこにプラテンとサーマルヘッドとにより印字を行ってそれをピールローラを介して排出するプリンタにおいて、
上記フレームに、ロール紙が排出される付近を開放可能にする収納部カバーと揺動カバーを共に回動可能に設け、その揺動カバーに上記収納部カバーを閉じ位置に回動させる過程でその収納部カバーの一部あるいはそれと一体の部品に係合して上記揺動カバーを閉じ位置まで上記収納部カバーの回動に連動して回動させるための係合部を設けたものである。
そして、そのプリンタは、上記揺動カバーあるいはその揺動カバーと一体の部品に、ピールローラとサーマルヘッドとを取り付けるとよい。
【０００７】
【発明の実施の形態】
以下、この発明の実施の形態を図面に基づいて説明する。
図１はこの発明によるプリンタの主要な部分のみを簡略化して示す概略構成図、図２は同じくそのプリンタに設けられている収納部カバーを閉じる過程でプラテンの軸受部分が揺動カバーと一体の揺動板と係合する様子を示す概略図である。
【０００８】
図１に示すプリンタは、携帯可能な小型のプリンタであり、フレーム１内に設けた用紙収納部２に収納したロール紙１０を、その巻き終り側から所定量ずつ繰り出してそこにプラテン３とサーマルヘッド４とにより印字を行ってそれをピールローラ５を介して外部に排出するプリンタである。
【０００９】
フレーム１には、ロール紙１０がフレーム１の外に排出される排出口付近を開放可能にする収納部カバー７と、揺動カバー１７とを共に回動可能に設けている。
そして、収納部カバー７を図１に仮想線で示す開放位置から実線図示の閉じ位置まで回動させる過程で、図２に示すように収納部カバー７に取り付けられているプラテン３の軸受部分３ａに係合して揺動カバー１７を閉じ位置（図１の実線図示位置）まで収納部カバー７に連動して回動させるための係合部１４ａを有する板金製の揺動板１４を、揺動カバー１７に一体に設けている。
【００１０】
そして、その揺動カバー１７と一体の揺動板１４に、図１に示すようにピールローラ５とサーマルヘッド４とを取り付けている。
なお、揺動カバー１７と揺動板１４とを一体の１部品で形成する場合には、その部品にピールローラ５とサーマルヘッド４とを取り付ける。
【００１１】
このプリンタは、フレーム１内の用紙収納部２に収納したロール紙１０を、その巻き終り側から矢示Ａ方向に回転するローラ状のプラテン３により矢示Ｂ方向に繰り出す。
そのプラテン３は、印字時にはロール紙１０を介してサーマルヘッド４に圧接するようになっており、ロール紙１０はそのサーマルヘッド４により所望の印字がなされる。
【００１２】
このプリンタで使用するロール紙１０は、例えば台紙（ライナ）１１上にラベル片１２をロール紙の繰り出し方向に所定の間隔を置いて糊により予め貼着したものをコア１３に巻き付けてロール状にしたものである。
そして、そのロール紙１０のロール部分をフレーム１の用紙収納部２にセットし、その巻き終り側を引き出して、プラテン３とそのプラテン３に圧接しながら同図の矢印方向に回転するピールローラ５とにより、台紙１１の部分を矢示Ｃ方向に送り出す。
【００１３】
プラテン３のロール紙搬送方向下流側には、そのプラテン３に近接させて収納部カバー７に取り付けられた剥離部材６を設けている。したがって、ロール紙１０のラベル片１２上に所望の印字を行った後に矢示Ｂ方向に送り出されるロール紙１０は、剥離部材６により搬送方向が急激に変えられることによりラベル片１２が自身の持つ腰の強さにより台紙１１から剥離され、それが台紙１１と分離されて矢示Ｅ方向に排出される。
【００１４】
プラテン３は、収納部カバー７の一端に回転可能に支持されており、その収納部カバー７は用紙収納部２の上部に、その用紙収納部２にセットされたロール紙１０の上部を覆うように、図１で右端部が軸８により開閉可能にフレーム１に取り付けられている。
【００１５】
そして、そのプラテン３を支持する軸部の一端には、図示しないギヤが固定されていて、収納部カバー７を図１に実線で示したように閉じると、そのギヤがフレーム１側に設けられている図示しない駆動ギヤに噛み合って、それが回転可能な状態になる。
なお、収納部カバー７は、それが開放側に図示しないバネにより常に回動付勢されている。また、この実施の形態では、揺動カバー１７を開放側にバネにより回動付勢すると、その付勢力により後述するロック機構３０のロック解除レバー３１の操作力が増してしまうため揺動カバー１７は回動付勢させていないが、ロック解除の操作力に影響を与えない構成のロック機構を使用した場合には、揺動カバー１７も開放側にバネにより回動付勢してよい。
さらに、収納部カバー７と揺動カバー１７を共にバネにより開放側に回動付勢しないようにしても、操作性は落ちるがプリンタとしての使用は可能である。
【００１６】
ピールローラ５は、フレーム１側に軸９により回動可能に取り付けられている揺動板１４に回転可能に取り付けられており、その揺動板１４は図２に示したように、収納部カバー７を閉じる過程でプラテン３の軸部を支持する軸受部分３ａが横向きの略Ｕ字状に形成している前述した係合部１４ａに当接してそれを押し下げるため、図１に実線で示した位置まで回動する。
そして、この閉じ位置では、後述するロック機構３０により揺動板１４がロックされ、それにより収納部カバー７と揺動カバー１７とが閉じた位置に保たれる。
【００１７】
逆に、収納部カバー７を開けるときには、このプリンタの上面の略中央に設けている後述するロック解除レバー３１（図４参照）を操作して揺動板１４のロックを解除すると、その揺動板１４が開くことにより、収納部カバー７が図示しないバネの付勢力により開く。
【００１８】
それにより、プラテン３の軸受部分３ａと揺動板１４の係合部１４ａとの位置関係が、図２（収納部カバー７を閉じるときの説明に使用した図であるが、便宜上開くときの説明にも使用）に示すようになり、そのプラテン３の軸受部分３ａが揺動板１４の係合部１４ａから抜け出てそれらの係合が外れるため、ピールローラ５がプラテン３と干渉しない位置まで退避した状態で、収納部カバー７が図１に仮想線で示したように大きく回動し、用紙収納部２にロール紙１０を挿入可能な状態になる。
【００１９】
そこで、用紙収納部２にロール紙１０を挿入して、その巻き終り側を図１でピールローラ５の右側上方まで引き出した状態で収納部カバー７を閉じれば、前述したようにその収納部カバー７を閉じる過程でプラテン３の軸部を支持する軸受部分３ａが揺動板１４に形成している係合部１４ａに当接してそれを押し下げる。
それにより、ピールローラ５とサーマルヘッド４を保持した揺動板１４が収納部カバー７の閉じ動作に連動してワンタッチの動作だけで、図１に実線で示した閉じ位置まで回動して、その状態でロックされる。
【００２０】
用紙収納部２は、図１で説明したように、台紙１１上に多数のラベル片１２を繰り出し方向に沿って所定の間隔を置いてそれぞれ糊により貼着したロール紙１０を収納する。
そして、そのロール紙１０を用紙収納部２の収納位置に収納した状態で、そのロール紙１０が幅方向（図１で手前と奥方向）に位置ずれを生じて印字位置に幅方向のずれが生じないようにするため、その収納位置でロール紙１０の繰り出し方向に対する両側面の位置を側面規制部材でそれぞれ規制する必要がある。
【００２１】
そこで、このプリンタでは、その側面規制部材として、図３に示すようにロール紙１０の一方の搬送基準側となる側面をフレーム１の内面１ａで直接規制するようにしている。また、ロール紙１０の他方の側面は、側面規制部材として機能するロール紙ガイド板１５により規制するようにしている。
【００２２】
そのロール紙ガイド板１５は、フレーム１に対して抜き差し可能な板金製のガイド板であり、フレーム１の用紙収納部２の収納位置でロール紙を載置する収納部底面２ａにロール紙１０の幅方向に間隔を置いて複数形成した各ガイド板差込溝１６に下端を差し込むことにより、ロール紙１０の幅に適した位置に移動させることができるようになっている。
【００２３】
次に、図４及び図５を参照してロック機構３０について説明する。
ロック機構３０は、図４に示すようにプリンタの上面の略中央に、矢示Ｇ方向にスライド可能に設けているロック解除レバー３１を矢示Ｇ方向にスライドさせることによりロック位置に規制している揺動板１４（図５）の位置規制を解除する。
【００２４】
そのロック解除レバー３１は、図５に示すように揺動カバー１７に形成した開口２１内に突出するようになっており、そのロック解除レバー３１は両側に平面部を有していて、その平面部に互いに対称な形状のガイド孔３３，３４をそれぞれ略４５度傾斜させた角度で形成している。
【００２５】
そのガイド孔３３には、先端に係合突起３５ａを形成したロック部材３５の後端部上面に形成した円形凸部３５ｂを嵌入させている。同様に、ガイド孔３４にも、先端に係合突起３６ａを形成したロック部材３６の後端部上面に形成した円形凸部３６ｂを嵌入させている。
【００２６】
そのロック部材３５と揺動カバー１７の内面に形成しているバネ受け３７との間には圧縮コイルスプリング３８を介装し、ロック部材３６と同様に揺動カバー１７の内面に形成しているバネ受け３７と同様なバネ受け（図示を省略）との間にも圧縮コイルスプリング３９を介装し、その各圧縮コイルスプリング３８，３９によりロック部材３５，３６をそれぞれ両側の各フレーム１，１側に突出付勢している。
【００２７】
そして、図１に実線で示したように収納部カバー７を閉じたときに、それに連動して揺動カバー１７が同図の実線図示位置まで回動したときに、図５に示したロック部材３５，３６の係合突起３５ａ，３６ａが、両側のフレーム１，１にそれぞれ形成している各係合孔１ｂ，１ｂに嵌入することにより、各揺動板１４，１４の位置が規制され、それにより揺動カバー１７がロックされて、その回動が規制される。
【００２８】
逆に、ロック解除レバー３１を図５の矢示Ｇ方向にスライドさせると、図５に示したように斜めに傾いたガイド孔３３，３４により両側の円形凸部３５ｂ，３６ｂが互いに接近する方向に圧縮コイルスプリング３８，３９の付勢力に抗して移動するため、両側の係合突起３５ａ，３６ａが、両側のフレーム１，１の係合孔１ｂ，１ｂから共に抜け出ることにより、フレーム１に対するロックがそれぞれ解除される。それにより、揺動板１４の規制が解除される。
【００２９】
なお、上述した実施の形態では、図２で説明したように収納部カバー７を閉じ位置に回動させる過程で、その収納部カバー７と一体のプラテン３の軸受部分３ａが揺動カバー１７と一体の係合部１４ａに係合して揺動カバー１７が閉じ位置まで連動して回動するが、係合部１４ａに係合させるのを収納部カバー７の一部にしても、同様に収納部カバー７の回動に揺動カバー１７の回動を連動させることができる。
【００３０】
【発明の効果】
以上説明したように、この発明による請求項１のプリンタによれば、収納部カバーを開けて用紙収納部にロール紙をセットした後に収納部カバーを閉じれば、その収納部カバーを閉じ位置に回動させる過程でその収納部カバーの一部あるいはそれと一体の部品が揺動カバーに係合することにより、その揺動カバーが収納部カバーに連動して閉じ位置まで回動する。したがって、収納部カバーを閉じる１つの動作だけでプリンタを印字可能な状態にすることができる。
【００３１】
請求項２のプリンタによれば、揺動カバーあるいはその揺動カバーと一体の部品に、ピールローラとサーマルヘッドとが取り付けられているので、ピールローラとサーマルヘッドとの間の部品精度を高めることができると共に、ピールローラとサーマルヘッドを揺動カバーの開く方向への回動動作に連動して同時に退避位置まで一緒に移動させることができる。
【図面の簡単な説明】
【図１】この発明によるプリンタの主要な部分のみを簡略化して示す概略構成図である。
【図２】同じくそのプリンタに設けられている収納部カバーを閉じる過程でプラテンの軸受部分が揺動カバーと一体の揺動板と係合する様子を示す概略図である。
【図３】用紙収納部に収納したロール紙の両方の側面を規制する構成を説明するために用紙収納部の中央で切断した縦断面図である。
【図４】ロック機構のロック解除レバーを説明するためにプリンタ全体を示す外観斜視図である。
【図５】同じくそのロック機構を説明するための斜視図である。
【図６】従来のプリンタの一例を示す概略図である。
【符号の説明】
１：フレーム            ２：用紙収納部
３：プラテン            ４：サーマルヘッド
５：ピールローラ        ７：収納部カバー
１０：ロール紙          １４：揺動板
１４ａ：係合部          １７：揺動カバー
【図１】
0004412822.tif 000002
【図２】
0004412822.tif 000003
【図３】
0004412822.tif 000004
【図４】
0004412822.tif 000005
【図５】
0004412822.tif 000006
【図６】
0004412822.tif 000007